(57)【要約】      （修正有）【課題】軟質のチューブ内に収納されている内容物を円滑に、かつ容易に押し出しすることが出来るチューブ中味の簡易押し出し具を提供する。【解決手段】内容物４を収納している軟質のチューブ３の上方側には上方側ホック１（雌型）が固定されチューブ３の下方側には下方側ホック２（雄型）が固定されている。チューブ３内の内容物４が減少して来た場合はチューブ３の下方側を折り曲げて下方側ホック２を上方側ホック１に係合固定する。これにより内容物４はチューブ３の上方に安定的に収納され内容物の押し出しが容易に、かつ円滑に行われる。【選択図】図２
0003205278.tif 000002
【実用新案登録請求の範囲】
【請求項１】
流動性の軟質材を中味に収納するチューブの前記中味を円滑に押し出すための簡易な押し出し具であって、該押し出し具は、前記チューブの上方側と下方側に互いに着脱可能に係合する夫々１個又は複数個の止め具を設けることを特徴とするチューブ中味の簡易押し出し具。
【請求項２】
前記止め具が雌雄のホックからなることを特徴とする請求項１に記載のチューブ中味の簡易押し出し具。
【請求項３】
前記止め具がマジックテープ（商標登録）であることを特徴とする請求項１に記載のチューブ中味の簡易押し出し具。
【考案の詳細な説明】
【技術分野】
【０００１】  本考案は、歯磨き用内容材やマヨネーズ等の軟質材をを収納している比較的軟質なチューブの前記軟質材が減少した場合においても容易に押し出しする事が出来るように構成される簡便なチューブ中味の簡易押し出し具に関する。
【背景技術】
【０００２】  例えば、マヨネーズのような内容物を収納している比較的軟質のチューブから前記内容物を押し出すにはそのチューブの外面を指先等を用いて押してチューブの出口から内容物を押し出す事が通常行われている。
しかしながら、チューブ内に内容物が充填されている場合はその押し出しは円滑であるが押し出しが進んで中身が減ってくると押し出しが円滑に行えなくなる問題点が生ずる。このため図３に示すように空になったチューブ３の下方側を平坦にしながら内容物４を上方側に押し込んでその部分にある内容物４を押し出す作業を行う必要がある。また、図４に示すように内容物４が空になった平坦の部分を折り曲げて別体の止め具６で平坦部を折込んで止め、上方側の内容物４を押し出す作業を行う手段等が採用されている。この図４に示した手段に似ている公知技術として「特許文献１」が挙げられる。
【先行技術文献】
【特許文献】
【０００３】
【特許文献１】特開２００９−２０２９４０号（代表図面）
【考案の概要】
【考案が解決しようとする課題】
【０００４】  「特許文献１」の「特開２００９−２０２９４０号」の「チューブクリップ」は空になったチューブの部分を折り曲げてこの部分をベースバーと可動バーによって挟み込みボルトを用いて両者を押圧固定し内容物をチューブの上方に押し上げる手段であり、前記のように図４に示した手段とほぼ同様のものである。これ等の手段によってチューブ内の内容物は円滑に押し出す事が出来るがいずれの手段も面倒であり好ましい手段とは言えない。
本考案はこの問題点を解決すべく考案されたものであり、内容物が減ってきたチューブから内容物を円滑に、かつ簡単に押し出す事の出来る押し出し具を考案したものである。
【課題を解決するための手段】
【０００５】  本考案は、以上の要請に基づき考案されたものであり、請求項１のチューブ中味の簡易押し出し具は、流動性の軟質材を中味に収納するチューブの前記中味を円滑に押し出すための簡易な押し出し具であって、該押し出し具は、前記チューブの上方側と下方側に互いに着脱可能に係合する夫々１個又は複数個の止め具を設けることを特徴とする。【０００６】  また、請求項２の考案は、前記止め具が雌雄のホックからなることを特徴とする。【０００７】  また、請求項３の考案は、前記止め具がマジックテープ（商標登録）であることを特徴とする。
【考案の効果】
【０００８】  本考案の請求項１のチューブ中味の簡易押し出し具によれば、チューブの空になった部分を折り曲げて下方側の止め具を上方側にある止め具に係合固着することによりチューブの内容物を安定的に上方測に収納する状態を保持することが出来、内容物の押し出しが容易に出来る。この作業は容易であり、かつ円滑に行うことが出来る。【０００９】  また、請求項２のチューブ中味の簡易押し出し具によれば、止め具がホックからなるため両者の固定が容易に、かつ確実に行われる。また、相互の離脱も容易であり上方側のホックが複数の場合は内容物の収納状態の変化に対応出来る。【００１０】  また、請求項３のチューブ中味の簡易押し出し具によれば、止め具としてマジックテープ（商標登録）を用いることにより固着が確実に、かつ容易に行われる。また、マジックテープのチューブへの固定は容易に、かつ確実に行われる。
【図面の簡単な説明】
【００１１】
【図１】止め具としてホックを用いたチューブ中味の簡易押し出し具を示す正面図。
【図２】図１のチューブ中味の簡易押し出し具の使用状態を示す模式図（ａ）及びその側面図（ｂ）。
【図３】従来の内容物の押し出し手段の１つを示す模式図。
【図４】従来の内容物の押し出し手段の１つを示す模式図。
【考案を実施するための形態】
【００１２】  以下、本考案のチューブ中味の簡易押し出し具の実施の形態を図面に基づいて詳述する。
【実施例１】
【００１３】  この実施例では止め具としてホックを用いたものであり、止め具としてはこのものに限定するものではなく、例えばマジックテープ（商標登録）を使用されてもよく、また、他の止め具を使用することも勿論よい。【００１４】  図１に示すように歯磨き用内容物，マヨネーズのような軟質の内容物４は使用前には軟質のチューブ３内に充填されている。このチューブ３の上方側には上方側ホック１がこの実施例では２個設けられ、チューブ３の下方側には１個の下方側ホック２が固定されている。なお、上方側ホック１は雌型のものであり、下方側ホック２は雄型のものであり、これ等は簡単に係合固着出来、かつ離脱も容易に出来る。【００１５】  内容物４を使用する場合はチューブ３のキャップ５を開けてチューブ３の外面を指等により押圧する事により容易に行われる。しかしながら、内容物４が次第に減少して行くとその内容物４を押し出すにはチューブ３の外面を指等によりしごいて内容物４をチューブ３の上方側に移動させないと内容物４の押し出しが円滑に行われない。このためには、チューブ３の下方側をその都度指等によりしごく作業が必要であり面倒であると共に指等をチューブ３から離すと内容物４が下方側に移動し、内容物４の押し出しが円滑に行われない。【００１６】  本考案のチューブ中味の簡易押し出し具はこの不具合を解消するためのものであり、図２（ａ），（ｂ）に示すように内容物４が空になった下方側のチューブ３の部分を折り曲げて下方側ホック２を上方側ホック１に嵌め込んで係合固定する。この作業により図２（ａ），（ｂ）に示すように内容物４はチューブ３の上方側に安定的に収納される。従って、チューブ３から内容物４を容易に、かつ円滑に押し出す事が出来る。通常は上方側チューブ１は１個でもよいが、この押し出し作業を更に容易に行うためには複数個の上方側ホック１があった方がよい。但し、それを限定するものではない。
【実施例２】
【００１７】  実施例１では止め具としてホックを用いたがマジックテープ（商標登録）を用いてもよく、その他の止め具を用いてもよい。但し、これ等の図面による説明は省略した。【００１８】  本考案は以上の内容のものであるが、その内容は以上の説明に限定するものではなく、同一技術的範疇のものが適用されることは勿論である。
【産業上の利用可能性】
【００１９】  軟質のチューブとしては、各種のものがあり、内容物についても多種類のものがあり、本考案の適用範囲は極めて広い。また、その構造が簡便のもので容易に実施する事が出来る。
【符号の説明】
【００２０】  １  上方側ホック
２  下方側ホック
３  チューブ
４  内容物
５  キャップ
６  止め具
【図１】
0003205278.tif 000003
【図２】
0003205278.tif 000004
【図３】
0003205278.tif 000005
【図４】
0003205278.tif 000006
【手続補正書】
【提出日】平成28年4月27日(2016.4.27)
【手続補正１】
【補正対象書類名】実用新案登録請求の範囲
【補正対象項目名】請求項３
【補正方法】変更
【補正の内容】
【請求項３】
前記止め具が面ファスナーであることを特徴とする請求項１に記載のチューブ中味の簡易押し出し具。
【手続補正２】
【補正対象書類名】明細書
【補正対象項目名】全文
【補正方法】変更
【補正の内容】
【考案の詳細な説明】
【技術分野】
【０００１】  本考案は、歯磨き用内容材やマヨネーズ等の軟質材をを収納している比較的軟質なチューブの前記軟質材が減少した場合においても容易に押し出しする事が出来るように構成される簡便なチューブ中味の簡易押し出し具に関する。
【背景技術】
【０００２】  例えば、マヨネーズのような内容物を収納している比較的軟質のチューブから前記内容物を押し出すにはそのチューブの外面を指先等を用いて押してチューブの出口から内容物を押し出す事が通常行われている。
しかしながら、チューブ内に内容物が充填されている場合はその押し出しは円滑であるが押し出しが進んで中身が減ってくると押し出しが円滑に行えなくなる問題点が生ずる。このため図３に示すように空になったチューブ３の下方側を平坦にしながら内容物４を上方側に押し込んでその部分にある内容物４を押し出す作業を行う必要がある。また、図４に示すように内容物４が空になった平坦の部分を折り曲げて別体の止め具６で平坦部を折込んで止め、上方側の内容物４を押し出す作業を行う手段等が採用されている。一方、この図４に示した手段に似ている公知技術として「特許文献１」が挙げられる。
【先行技術文献】
【特許文献】
【０００３】
【特許文献１】特開２００９−２０２９４０号（代表図面）
【考案の概要】
【考案が解決しようとする課題】
【０００４】  「特許文献１」の「特開２００９−２０２９４０号」の「チューブクリップ」は空になったチューブの部分を折り曲げてこの部分をベースバーと可動バーによって挟み込みボルトを用いて両者を押圧固定し内容物をチューブの上方に押し上げる手段であり、前記のように図４に示した手段とほぼ同様のものである。これ等の手段によってチューブ内の内容物は円滑に押し出す事が出来るがいずれの手段も面倒であり好ましい手段とは言えない。
本考案はこの問題点を解決すべく考案されたものであり、内容物が減ってきたチューブから内容物を円滑に、かつ簡単に押し出す事の出来る押し出し具を考案したものである。
【課題を解決するための手段】
【０００５】  本考案は、以上の要請に基づき考案されたものであり、請求項１のチューブ中味の簡易押し出し具は、流動性の軟質材を中味に収納するチューブの前記中味を円滑に押し出すための簡易な押し出し具であって、該押し出し具は、前記チューブの上方側と下方側に互いに着脱可能に係合する夫々１個又は複数個の止め具を設けることを特徴とする。【０００６】  また、請求項２の考案は、前記止め具が雌雄のホックからなることを特徴とする。【０００７】  また、請求項３の考案は、前記止め具が面ファスナーであることを特徴とする。
【考案の効果】
【０００８】  本考案の請求項１のチューブ中味の簡易押し出し具によれば、チューブの空になった部分を折り曲げて下方側の止め具を上方側にある止め具に係合固着することによりチューブの内容物を安定的に上方側に収納する状態を保持することが出来、内容物の押し出しが容易に出来る。この作業は容易であり、かつ円滑に行うことが出来る。【０００９】  また、請求項２のチューブ中味の簡易押し出し具によれば、止め具がホックからなるため両者の固定が容易に、かつ確実に行われる。また、相互の離脱も容易であり上方側のホックが複数の場合は内容物の収納状態の変化に対応出来る。【００１０】  また、請求項３のチューブ中味の簡易押し出し具によれば、止め具として面ファスナーを用いることにより固着が確実に、かつ容易に行われる。また、面ファスナーのチューブへの固定は容易に、かつ確実に行われる。
【図面の簡単な説明】
【００１１】
【図１】止め具としてホックを用いたチューブ中味の簡易押し出し具を示す正面図。
【図２】図１のチューブ中味の簡易押し出し具の使用状態を示す模式図（ａ）及びその側面図（ｂ）。
【図３】従来の内容物の押し出し手段の１つを示す模式図。
【図４】従来の内容物の押し出し手段の１つを示す模式図。
【考案を実施するための形態】
【００１２】  以下、本考案のチューブ中味の簡易押し出し具の実施の形態を図面に基づいて詳述する。
【実施例１】
【００１３】  この実施例では止め具としてホックを用いたものであり、止め具としてはこのものに限定するものではなく、例えば面ファスナーを使用されてもよく、また、他の止め具を使用することも勿論よい。【００１４】  図１に示すように歯磨き用内容物，マヨネーズのような軟質の内容物４は使用前には軟質のチューブ３内に充填されている。このチューブ３の上方側には上方側ホック１がこの実施例では２個設けられ、チューブ３の下方側には１個の下方側ホック２が固定されている。なお、上方側ホック１は雌型のものであり、下方側ホック２は雄型のものであり、これ等は簡単に係合固着出来、かつ離脱も容易に出来る。【００１５】  内容物４を使用する場合はチューブ３のキャップ５を開けてチューブ３の外面を指等により押圧する事により容易に行われる。しかしながら、内容物４が次第に減少して行くとその内容物４を押し出すにはチューブ３の外面を指等によりしごいて内容物４をチューブ３の上方側に移動させないと内容物４の押し出しが円滑に行われない。このためには、チューブ３の下方側をその都度指等によりしごく作業が必要であり面倒であると共に指等をチューブ３から離すと内容物４が下方側に移動し、内容物４の押し出しが円滑に行われない。【００１６】  本考案のチューブ中味の簡易押し出し具はこの不具合を解消するためのものであり、図２（ａ），（ｂ）に示すように内容物４が空になった下方側のチューブ３の部分を折り曲げて下方側ホック２を上方側ホック１に嵌め込んで係合固定する。この作業により図２（ａ），（ｂ）に示すように内容物４はチューブ３の上方側に安定的に収納される。従って、チューブ３から内容物４を容易に、かつ円滑に押し出す事が出来る。通常は上方側チューブ１は１個でもよいが、この押し出し作業を更に容易に行うためには複数個の上方側ホック１があった方がよい。但し、それを限定するものではない。
【実施例２】
【００１７】  実施例１では止め具としてホックを用いたが面ファスナーを用いてもよく、その他の止め具を用いてもよい。但し、これ等の図面による説明は省略した。【００１８】  本考案は以上の内容のものであるが、その内容は以上の説明に限定するものではなく、同一技術的範疇のものが適用されることは勿論である。
【産業上の利用可能性】
【００１９】  軟質のチューブとしては、各種のものがあり、内容物についても多種類のものがあり、本考案の適用範囲は極めて広い。また、その構造が簡便のもので容易に実施する事が出来る。
【符号の説明】
【００２０】１  上方側ホック
２  下方側ホック
３  チューブ
４  内容物
５  キャップ
６  止め具